(57)【要約】【課題】小型化および型費用の削減によるコストダウンを図ることができるキー装置およびこのキー装置を備えた携帯情報端末を提供すること。【解決手段】押下操作が行われる凸型のボタン部を有しておりスイッチを押圧する押圧用突起がボタン部とは反対側の面に設けられたキー部品と、キー部品の押圧用突起を貫通させる穴が打ち抜かれており押下操作によってケースとの接点を支点として撓む平板状の支持部品とからキー装置を構成する。【選択図】        図１
2008251496.tif 000002
【特許請求の範囲】
【請求項１】
取付対象装置のケースに取り付けられ利用者の押下操作によって前記ケース内部のスイッチを押圧するキー装置であって、
前記押下操作が行われる凸型のボタン部を有しており前記スイッチを押圧する押圧用突起が前記ボタン部とは反対側の面に設けられたキー部品と、
前記キー部品の押圧用突起を貫通させる穴が打ち抜かれており前記押下操作によって前記ケースとの接点を支点として撓む平板状の支持部品と
から構成されたことを特徴とするキー装置。
【請求項２】
前記キー部品は、
前記押圧用突起が設けられた面に位置決め用突起を有しており、
前記支持部品には、
前記位置決め用突起と嵌合する穴が打ち抜かれており、
前記キー部品と前記支持部品とは、前記押圧用突起および前記位置決め用突起を各突起用の穴に嵌合させることで位置決めされることを特徴とする請求項１に記載のキー装置。
【請求項３】
前記キー部品の位置決め用突起は、
前記押圧用突起の中心位置を対称点とする対称位置に複数個設けられており、
前記支持部品には、
前記複数個の押圧用突起と対応する穴が打ち抜かれている
ことを特徴とする請求項２に記載のキー装置。
【請求項４】
前記キー部品と前記支持部品とが融着によって固定されたことを特徴とする請求項１、２または３に記載のキー装置。
【請求項５】
前記キー部品と前記支持部品とが接着剤による接着によって固定されたことを特徴とする請求項１、２または３に記載のキー装置。
【請求項６】
前記キー部品と前記支持部品とが異種材料による２色成型によって一体成型されたことを特徴とする請求項１、２または３に記載のキー装置。
【請求項７】
前記キー部品は、
ポリカーボネートから形成されており、
前記支持部品は、
ポリエチレンテレフタレートから形成されている
ことを特徴とする請求項１〜６のいずれか一つに記載のキー装置。
【請求項８】
取付対象装置のケースに取り付けられ利用者の押下操作によって前記ケース内部のスイッチを押圧するキー装置であって、
前記押下操作によって前記ケースとの接点を支点として撓む平板状の支持部と、
前記支持部の片面に設けられ前記押下操作が行われる凸型のボタン部と、
前記支持部について前記ボタン部が設けられた面とは反対側の面に設けられ前記スイッチを押圧する押圧用突起部と
が同一材料で一体成型されたことを特徴とするキー装置。
【請求項９】
取付対象装置のケースに取り付けられ利用者の押下操作によって前記ケース内部のスイッチを押圧するキー装置を備えた携帯情報端末であって、
前記キー装置が、
前記押下操作が行われる凸型のボタン部を有しており前記スイッチを押圧する押圧用突起が前記ボタン部とは反対側の面に設けられたキー部品と、
前記キー部品の押圧用突起を貫通させる穴が打ち抜かれており前記押下操作によって前記ケースとの接点を支点として撓む平板状の支持部品と
から構成されたことを特徴とする携帯情報端末。
【請求項１０】
取付対象装置のケースに取り付けられ利用者の押下操作によって前記ケース内部のスイッチを押圧するキー装置を備えた携帯情報端末であって、
前記キー装置が、
前記押下操作によって前記ケースとの接点を支点として撓む平板状の支持部と、
前記支持部の片面に設けられ前記押下操作が行われる凸型のボタン部と、
前記支持部について前記ボタン部が設けられた面とは反対側の面に設けられ前記スイッチを押圧する押圧用突起部と
が同一材料で一体成型されたことを特徴とする携帯情報端末。
【発明の詳細な説明】
【技術分野】
【０００１】
この発明は、取付対象装置のケースに取り付けられ利用者の押下操作によって前記ケース内部のスイッチを押圧するキー装置およびこのキー装置を備えた携帯情報端末に関し、特に、小型化および型費用の削減によるコストダウンを図ることができるキー装置およびこのキー装置を備えた携帯情報端末に関する。
【背景技術】
【０００２】
近年、携帯電話やＰＤＡ（Personal  Digital  Assistant）等の携帯情報端末が広く普及してきている。また、これらの携帯情報端末の多機能化もめざましく、端末の上面に設けられたテンキーやキーボードのみならず、端末の裏面や側面にも操作キー（以下、「キー装置」と記載する）が設置されることが多い。
【０００３】
このように、携帯情報端末に多くのキー装置が設けられるようになると、携帯情報端末の製造段階における効率化が求められ、キー装置を携帯情報端末のケースに取り付ける手法にもさまざまな工夫がなされている。
【０００４】
たとえば、特許文献１には、Ｌ型に形成されたキー装置の弾性を利用し、ケース側に設けられた台座に押し込むことで、キー装置をケース側に取り付ける手法が開示されている。
【０００５】
【特許文献１】特開２０００−１６５０６４号公報
【発明の開示】
【発明が解決しようとする課題】
【０００６】
しかしながら、携帯情報端末に対する小型化のニーズは根強いため、特許文献１における取り付け手法あるいはＬ型のキー押圧装置を用いていたのでは、携帯情報端末のさらなる小型化を図ることは容易ではない。なぜならば、携帯情報端末を小型化すると、必然的にキー装置の取り付けスペースは制限され、携帯情報端末のケースに台座を設けること自体が困難となるからである。
【０００７】
すなわち、特許文献１の技術は、携帯情報端末の小型化が進んだ現在では、適用すること自体が難しいという問題がある。このため、ケースへの取り付けがシンプルであり、また、キー装置の構造もまたシンプルであるキー装置が求められている。
【０００８】
ところで、キー装置は、ケースに取り付けられた状態で操作されるが、利用者の操作性とケース内部に設けられたスイッチを確実に押圧する機能性とを両立する必要があるため、複数の部品から構成されることが多い。
【０００９】
たとえば、樹脂で形成されたボタン部品と、ゴムで形成された支持部品とを接着剤で固定したキー装置が知られているが、各部品を形成するためには、樹脂やゴムを流し込む型が必要となるため、型費用や型作成時間がかさむことになる。特に、ゴム部品用の型費用は、高額であり、また、型修正も容易ではないことから、キー装置の製造コストやリードタイム（製造に要する時間）がかさみがちになるという問題があった。
【００１０】
これらのことから、小型化および型費用の削減によるコストダウンを図ることができるキー装置をいかにして実現するかが大きな課題となっている。
【００１１】
この発明は、上述した従来技術による問題点を解消するためになされたものであり、小型化および型費用の削減によるコストダウンを図ることができるキー装置およびこのキー装置を備えた携帯情報端末を提供することを目的とする。
【課題を解決するための手段】
【００１２】
上述した課題を解決し、目的を達成するため本発明は、取付対象装置のケースに取り付けられ利用者の押下操作によって前記ケース内部のスイッチを押圧するキー装置およびこのキー装置を備えた携帯情報端末であって、前記押下操作が行われる凸型のボタン部を有しており前記スイッチを押圧する押圧用突起が前記ボタン部とは反対側の面に設けられたキー部品と、前記キー部品の押圧用突起を貫通させる穴が打ち抜かれており前記押下操作によって前記ケースとの接点を支点として撓む平板状の支持部品とから構成されたことを特徴とする。
【００１３】
また、本発明は、上記の発明において、前記キー部品は、前記押圧用突起が設けられた面に位置決め用突起を有しており、前記支持部品には、前記位置決め用突起と嵌合する穴が打ち抜かれており、前記キー部品と前記支持部品とは、前記押圧用突起および前記位置決め用突起を各突起用の穴に嵌合させることで位置決めされることを特徴とする。
【００１４】
また、本発明は、上記の発明において、前記キー部品の位置決め用突起は、前記押圧用突起の中心位置を対称点とする対称位置に複数個設けられており、前記支持部品には、前記複数個の押圧用突起と対応する穴が打ち抜かれていることを特徴とする。
【００１５】
また、本発明は、上記の発明において、前記キー部品と前記支持部品とが融着によって固定されたことを特徴とする。
【００１６】
また、本発明は、上記の発明において、前記キー部品と前記支持部品とが接着剤による接着によって固定されたことを特徴とする。
【００１７】
また、本発明は、上記の発明において、前記キー部品と前記支持部品とが異種材料による２色成型によって一体成型されたことを特徴とする。
【００１８】
また、本発明は、上記の発明において、前記キー部品は、ポリカーボネートから形成されており、前記支持部品は、ポリエチレンテレフタレートから形成されていることを特徴とする。
【００１９】
また、本発明は、取付対象装置のケースに取り付けられ利用者の押下操作によって前記ケース内部のスイッチを押圧するキー装置およびこのキー装置を備えた携帯情報端末であって、前記押下操作によって前記ケースとの接点を支点として撓む平板状の支持部と、前記支持部の片面に設けられ前記押下操作が行われる凸型のボタン部と、前記支持部について前記ボタン部が設けられた面とは反対側の面に設けられ前記スイッチを押圧する押圧用突起部とが同一材料で一体成型されたことを特徴とする。
【発明の効果】
【００２０】
本発明によれば、押下操作が行われる凸型のボタン部を有しておりスイッチを押圧する押圧用突起がボタン部とは反対側の面に設けられたキー部品と、キー部品の押圧用突起を貫通させる穴が打ち抜かれており押下操作によってケースとの接点を支点として撓む平板状の支持部品とからキー装置を構成することとしたので、キー装置の小型化および型費用の削減によるコストダウン、ひいては携帯情報端末のコストダウンを図ることができるという効果を奏する。
【００２１】
また、本発明によれば、キー部品は、押圧用突起が設けられた面に位置決め用突起を有しており、支持部品には、位置決め用突起と嵌合する穴が打ち抜かれており、キー部品と支持部品とは、押圧用突起および位置決め用突起を各突起用の穴に嵌合させることで位置決めされることとしたので、治具を用いることなくキー部品と支持部品とのずれを防止することができるという効果を奏する。
【００２２】
また、本発明によれば、キー部品の位置決め用突起は、押圧用突起の中心位置を対称点とする対称位置に複数個設けられており、支持部品には、複数個の押圧用突起と対応する穴が打ち抜かれていることとしたので、治具を用いることなくキー部品と支持部品とのずれを確実に防止することができるという効果を奏する。
【００２３】
また、本発明によれば、キー部品と支持部品とが融着によって固定されることとしたので、長期間使用された場合であってもキー部品が支持部品から脱落することを防止することができるという効果を奏する。
【００２４】
また、本発明によれば、キー部品と支持部品とが接着剤による接着によって固定されることとしのたで、従来の組み立てラインを利用することができるという効果を奏する。
【００２５】
また、本発明によれば、キー部品と支持部品とが異種材料による２色成型によって一体成型されることとしたので、キー部品と支持部品とを一体成型することで、キー部品と支持部品とが分離してしまう事態を根本的に排除することができるという効果を奏する。
【００２６】
また、本発明によれば、キー部品は、ポリカーボネートから形成されており、支持部品は、ポリエチレンテレフタレートから形成されることとしたので、各部品の形成費用を抑制しつつ長期間の使用に耐えうるキー装置を提供することができるという効果を奏する。
【００２７】
また、本発明によれば、押下操作によってケースとの接点を支点として撓む平板状の支持部と、支持部の片面に設けられ押下操作が行われる凸型のボタン部と、支持部についてボタン部が設けられた面とは反対側の面に設けられスイッチを押圧する押圧用突起部とが同一材料で一体成型されたキー装置としたので、キー装置の小型化および型費用の削減によるコストダウン、ひいては携帯情報端末のコストダウンを図ることができるという効果を奏する。
【発明を実施するための最良の形態】
【００２８】
以下に添付図面を参照して、この発明に係るキー装置およびこのキー装置を備えた携帯情報端末の好適な実施例を詳細に説明する。なお、以下に示す実施例では、携帯電話のケースに取り付けるキー装置について説明するが、キー装置の取付対象は、携帯電話等の携帯情報端末に限らず、家電製品、パーソナルコンピュータ、キーボード等のキーを有する各種装置とすることができる。
【実施例】
【００２９】
まず、本発明に係るキー装置１の構造上の特徴について図１を用いて説明する。図１は、本発明に係るキー装置１の特徴を示す図である。なお、図１の（Ａ）には、本発明に係るキー装置１の斜視図を示している。また、図１の（Ｂ−１）および（Ｂ−２）は、キー装置１を携帯電話のケースに取り付けた状態で横から（ケースの断面方向から）みた図である。
【００３０】
図１の（Ａ）に示すように、キー装置１は、ＰＣ（ポリカーボネート；Polycarbonate）等の材料で形成されたキー部品１ａと、ＰＥＴ（ポリエチレンテレフタレート；Polyethylene  Terephthalate）等の材料で形成された支持部品１ｂとから構成される。
【００３１】
このキー部品１ａは、従来のように材料を流し込む型によって製造されるが、支持部品１ｂは、ＰＥＴ（ポリエチレンテレフタレート；Polyethylene  Terephthalate）等の平板に打ち抜き加工を施すことによって製造される。このように、平板を打ち抜くことによって支持部品１ｂを製造することで、従来のように型による成型工程が不要となる。したがって、支持部品１ｂの製造コストおよび製造期間を抑制することができる。
【００３２】
ここで、従来技術に係るキー装置２０１の構造について図６〜７を用いて説明しておく。図６は、従来技術に係るキー装置の分解図であり、図７は、従来技術に係るキー装置の完成体図である。
【００３３】
図６に示すように、従来技術に係るキー装置２０１は、ＰＣ（ポリカーボネート；Polycarbonate）等の樹脂で形成されたキー部品２０１ａと、ゴムで形成された支持部品２０１ｂとを接着剤で固定することによって構成されていた。なお、キー装置２０１の完成体は、図７に示している。
【００３４】
図６に示したように、従来技術に係るキー装置２０１は、それぞれが型による成型を必要とする部品で構成されており、型費用がかさむという問題があった。特に、支持部品２０１ｂはゴムで形成されているが、このようなゴム部品用の型費用は、高額であり、また、型修正も容易ではないことからキー装置２０１自体の製造費用がかさむという問題があった。
【００３５】
また、図６に示したように、ゴムで形成された支持部品２０１ｂは、適度な反発力を保持させるために所定の肉厚を有しており、携帯電話のさらなる小型化によって、取り付けスペースが制限されると、キー装置２０１の取り付け自体が困難となる。
【００３６】
一方、図１に示した本願発明に係るキー装置１は、支持部品１ｂをＰＥＴ（ポリエチレンテレフタレート；Polyethylene  Terephthalate）等の平板を打ち抜くことによって形成しており、この支持部品１ｂ用の型を必要としないうえ、ゴムよりも肉厚を薄くした場合であっても適度な反発力を保持することができるので、キー装置１自体の小型化も可能となる。したがって、小型化および型費用の削減によるコストダウンを図ることが可能となる。
【００３７】
次に、図１の（Ｂ−１）および図１の（Ｂ−２）を用いて、ケースに取り付けられたキー装置１の動作について説明する。図１の（Ｂ−１）に示すように、キー装置１は、支持部品１ｂをケース１０２上のスリットに嵌め込むことでケース１０２に固定される。
【００３８】
そして、支持部品１ｂの穴を貫通するキー部品１ａの突起（押圧用突起）は、スイッチ１０１に接している。なお、図１の（Ｂ−１）には、押圧用突起がスイッチ１０１に接している場合について示したが、スイッチ１０１との間に所定の空間を設けることとしてもよい。
【００３９】
そして、図１の（Ｂ−２）に示すように、利用者による押下操作が行われると、ケース１０２に固定された支持部品１ｂが撓むことによって、キー部品１ａの押圧用突起がスイッチ１０１を押圧する。なお、利用者による押下操作が終了すると、キー装置１およびスイッチ１０１は、図１の（Ｂ−１）に示した状態に戻ることになる。
【００４０】
次に、本発明に係るキー装置１を携帯電話等の携帯情報端末へ装着した状態について図２を用いて説明する。図２は、本発明に係るキー装置１を携帯情報端末へ装着した状態を示す図である。なお、同図の１０２に示したのは、携帯電話の表側のケースであり、このケース１０２に設けられたスリットに、キー装置１が嵌め込まれることで固定される。また、キー装置１によって押下される位置にはスイッチ１０１が設けられることになる。
【００４１】
次に、本発明に係るキー装置１の分解図について図３を用いて説明する。図３は、本発明に係るキー装置の分解図である。なお、図３の（Ａ）には、キー部品１ａのスイッチ押下用突起とは別に１個の位置決め用突起を設け、支持部品１ｂには、スイッチ押下用突起を貫通させる穴と、位置決め用突起と対応する穴を１個設けた場合を示している。
【００４２】
また、図３の（Ｂ）には、キー部品１ａに対して２個の位置決め用突起を設けた場合について示している。図３の（Ｂ）に示したように、２個の位置決め用突起は、スイッチ押下用突起の中心位置を対称点とする対称位置に設けられている。
【００４３】
そして、図３の（Ａ）に示したキー部品１ａと支持部品１ｂとを各突起および各突起用穴で位置決めしたうえで、融着によって固定すると、図４に示した完成体が得られる。なお、図４においては、図３の（Ｂ）に対応する完成体の記載を省略している。
【００４４】
また、図３においては、位置決め用突起を１個または２個設ける場合について示したが、位置決め用突起を設けず、従来のように治具を用いてキー部品１ａと支持部品１ｂとの位置合わせを行ったうえで両部品を固定することとしてもよい。さらに、位置決め用突起の数を３個以上としてもよい。
【００４５】
ここで、キー部品１ａと支持部品１ｂとを固定する場合には、上記した融着による他、従来のように接着剤によって固定することとしてもよい。この場合、図３に示したキー部品１ａおよび／または支持部品１ｂが接する面に接着剤が塗布されたうえで接着されることになる。
【００４６】
ところで、キー部品１ａと支持部品１ｂとを別部品としてそれぞれ製造するのではなく、１個の型にキー部品１ａ用の材料と、キー部品１ａ用の材料とは異なる支持部品１ｂ用の材料とを流し込む、いわゆる２色成型によって一体成型することとしてもよい。この場合、キー部品１ａ用の材料としては、たとえば、ＰＣ（ポリカーボネート；Polycarbonate）等の樹脂が用いられ、支持部品１ｂ用の材料としては、たとえば、ＰＥＴ（ポリエチレンテレフタレート；Polyethylene  Terephthalate）が用いられる。
【００４７】
さらに、キー部品１ａと支持部品１ｂとを同一の材料として１個の型で一体成型することとしてもよい。なお、キー部品１ａと支持部品１ｂとを２色成型あるいは同一材料で一体成型する場合の完成体の例については図５に示している。図５は、本発明に係るキー装置の変形例を示す図である。同図に示したキー装置２は、２色成型あるいは同一材料で一体成型されているので、図４に示したキー装置１とは異なり、スイッチ押下用突起や位置決め用突起に対応する穴が設けられていない。
【００４８】
上述してきたように、本実施例によれば、押下操作が行われる凸型のボタン部を有しておりスイッチを押圧する押圧用突起がボタン部とは反対側の面に設けられたキー部品と、キー部品の押圧用突起を貫通させる穴が打ち抜かれており押下操作によってケースとの接点を支点として撓む平板状の支持部品とからキー装置を構成することとしたので、キー装置の小型化および型費用の削減によるコストダウンを図ることができる。
【００４９】
（付記１）取付対象装置のケースに取り付けられ利用者の押下操作によって前記ケース内部のスイッチを押圧するキー装置であって、
前記押下操作が行われる凸型のボタン部を有しており前記スイッチを押圧する押圧用突起が前記ボタン部とは反対側の面に設けられたキー部品と、
前記キー部品の押圧用突起を貫通させる穴が打ち抜かれており前記押下操作によって前記ケースとの接点を支点として撓む平板状の支持部品と
から構成されたことを特徴とするキー装置。
【００５０】
（付記２）前記キー部品は、
前記押圧用突起が設けられた面に位置決め用突起を有しており、
前記支持部品には、
前記位置決め用突起と嵌合する穴が打ち抜かれており、
前記キー部品と前記支持部品とは、前記押圧用突起および前記位置決め用突起を各突起用の穴に嵌合させることで位置決めされることを特徴とする付記１に記載のキー装置。
【００５１】
（付記３）前記キー部品の位置決め用突起は、
前記押圧用突起の中心位置を対称点とする対称位置に複数個設けられており、
前記支持部品には、
前記複数個の押圧用突起と対応する穴が打ち抜かれている
ことを特徴とする付記２に記載のキー装置。
【００５２】
（付記４）前記キー部品と前記支持部品とが融着によって固定されたことを特徴とする付記１、２または３に記載のキー装置。
【００５３】
（付記５）前記キー部品と前記支持部品とが接着剤による接着によって固定されたことを特徴とする付記１、２または３に記載のキー装置。
【００５４】
（付記６）前記キー部品と前記支持部品とが異種材料による２色成型によって一体成型されたことを特徴とする付記１、２または３に記載のキー装置。
【００５５】
（付記７）前記キー部品は、
ポリカーボネートから形成されており、
前記支持部品は、
ポリエチレンテレフタレートから形成されている
ことを特徴とする付記１〜６のいずれか一つに記載のキー装置。
【００５６】
（付記８）取付対象装置のケースに取り付けられ利用者の押下操作によって前記ケース内部のスイッチを押圧するキー装置であって、
前記押下操作によって前記ケースとの接点を支点として撓む平板状の支持部と、
前記支持部の片面に設けられ前記押下操作が行われる凸型のボタン部と、
前記支持部について前記ボタン部が設けられた面とは反対側の面に設けられ前記スイッチを押圧する押圧用突起部と
が同一材料で一体成型されたことを特徴とするキー装置。
【００５７】
（付記９）取付対象装置のケースに取り付けられ利用者の押下操作によって前記ケース内部のスイッチを押圧するキー装置を備えた携帯情報端末であって、
前記キー装置が、
前記押下操作が行われる凸型のボタン部を有しており前記スイッチを押圧する押圧用突起が前記ボタン部とは反対側の面に設けられたキー部品と、
前記キー部品の押圧用突起を貫通させる穴が打ち抜かれており前記押下操作によって前記ケースとの接点を支点として撓む平板状の支持部品と
から構成されたことを特徴とする携帯情報端末。
【００５８】
（付記１０）前記キー部品は、
前記押圧用突起が設けられた面に位置決め用突起を有しており、
前記支持部品には、
前記位置決め用突起と嵌合する穴が打ち抜かれており、
前記キー部品と前記支持部品とは、前記押圧用突起および前記位置決め用突起を各突起用の穴に嵌合させることで位置決めされることを特徴とする付記９に記載の携帯情報端末。
【００５９】
（付記１１）前記キー部品の位置決め用突起は、
前記押圧用突起の中心位置を対称点とする対称位置に複数個設けられており、
前記支持部品には、
前記複数個の押圧用突起と対応する穴が打ち抜かれている
ことを特徴とする付記１０に記載の携帯情報端末。
【００６０】
（付記１２）前記キー部品と前記支持部品とが融着によって固定されたことを特徴とする付記９、１０または１１に記載の携帯情報端末。
【００６１】
（付記１３）前記キー部品と前記支持部品とが接着剤による接着によって固定されたことを特徴とする付記９、１０または１１に記載の携帯情報端末。
【００６２】
（付記１４）前記キー部品と前記支持部品とが異種材料による２色成型によって一体成型されたことを特徴とする付記９、１０または１１に記載のキー装置。
【００６３】
（付記１５）前記キー部品は、
ポリカーボネートから形成されており、
前記支持部品は、
ポリエチレンテレフタレートから形成されている
ことを特徴とする付記９〜１４のいずれか一つに記載の携帯情報端末。
【００６４】
（付記１６）取付対象装置のケースに取り付けられ利用者の押下操作によって前記ケース内部のスイッチを押圧するキー装置を備えた携帯情報端末であって、
前記キー装置が、
前記押下操作によって前記ケースとの接点を支点として撓む平板状の支持部と、
前記支持部の片面に設けられ前記押下操作が行われる凸型のボタン部と、
前記支持部について前記ボタン部が設けられた面とは反対側の面に設けられ前記スイッチを押圧する押圧用突起部と
が同一材料で一体成型されたことを特徴とする携帯情報端末。
【産業上の利用可能性】
【００６５】
以上のように、本発明に係るキー装置および携帯情報端末は、製造コストを抑制したい場合に有用であり、特に、キー装置の取り付けスペースが制限される場合に適している。
【図面の簡単な説明】
【００６６】
【図１】本発明に係るキー装置の特徴を示す図である。
【図２】本発明に係るキー装置を携帯情報端末へ装着した状態を示す図である。
【図３】本発明に係るキー装置の分解図である。
【図４】本発明に係るキー装置の完成体図である。
【図５】本発明に係るキー装置の変形例を示す図である。
【図６】従来技術に係るキー装置の分解図である。
【図７】従来技術に係るキー装置の完成体図である。
【符号の説明】
【００６７】
１      キー装置
１ａ    キー部品
１ｂ    支持部品
２      一体成型したキー装置
１０１  スイッチ
１０２  ケース
２０１  従来技術に係るキー装置
２０１ａ  キー部品
２０１ｂ  支持部品
【図１】
2008251496.tif 000003
【図２】
2008251496.tif 000004
【図３】
2008251496.tif 000005
【図４】
2008251496.tif 000006
【図５】
2008251496.tif 000007
【図６】
2008251496.tif 000008
【図７】
2008251496.tif 000009